(57)【要約】【課題】  茶の実から種子胚の取り出しを容易にする手法を開発すると共に、茶の実が含有する油成分を有効に搾り出すことのできる手法並びに装置の開発を技術課題とした。【解決手段】  原料準備工程１と、搾油準備工程２と、搾油工程３とを有し、殻果状の茶の実Ｓから茶の実油Ａを製造する方法であって、前記原料準備工程１は、収穫した茶の実Ｓから、茶の実油Ａを含む種子胚Ｓ１を、鬼皮Ｐ１を割り開いて取り出す工程であり、また前記搾油準備工程２は、種子胚Ｓ１を粉砕した上で、通液性を有する袋状のケーシングＢに詰め、茶の実油Ａの成分の変性温度以下で加温するものであり、また前記搾油工程３では、前工程でケーシングＢに詰められて加温された種子胚Ｓ１を圧搾容器３１に入れ、加圧盤３３により種子胚Ｓ１を圧縮することにより、種子胚Ｓ１中の茶の実油Ａを搾油することを特徴として成る。【選択図】図１
2020152749.tif 000002
【特許請求の範囲】
【請求項１】
原料準備工程と、搾油準備工程と、搾油工程とを有し、
殻果状の茶の実から茶の実油を製造する方法であって、
前記原料準備工程は、収穫した茶の実から、茶の実油を含む種子胚を、鬼皮を割り開いて取り出す工程であり、
また前記搾油準備工程は、種子胚を粉砕した上で、通液性を有する袋状のケーシングに詰め、茶の実油の成分の変性温度以下で加温するものであり、
また前記搾油工程では、前工程でケーシングに詰められて加温された種子胚を圧搾容器に入れ、加圧盤により種子胚を圧縮することにより、種子胚中の茶の実油を搾油することを特徴とする茶の実油の製造方法。
【請求項２】
前記鬼皮を割り開くに当たっては、対向的に移動する一対の押圧体を具えた殻取装置を用い、一対の押圧体の間に茶の実を通過させるものであり、
対向する押圧体の作動状態を異ならせ、且つ押圧体の表面に設けた刺し受けライナーに、割り開かれた鬼皮のエッジを刺し掛けるようにして鬼皮を割りずらせ、
鬼皮と種子胚とを分離することを特徴とする請求項１記載の茶の実油の製造方法。
【請求項３】
前記搾油工程で用いられる圧搾容器は、不活性ガスが充填される囲繞壁内に収容されていることを特徴とする請求項１または２記載の茶の実油の製造方法。
【請求項４】
一対の押圧体の間に殻果状の種子を通過させ、前記押圧体により種子の鬼皮を割って内部の種子胚と分離させる装置であって、
前記押圧体は、それぞれ押圧本体と、その表面に設けた刺し受けライナーとを有し、
更に一対の押圧体は、それぞれその作動状態を異ならせ、一対の押圧体の間を通過した種子は、押圧体の押圧を受けて鬼皮がクラック状に割り開かれ、
更に割り開かれた鬼皮のエッジが、刺し受けライナーに刺し掛けられ、
各押圧体の作動状態が異なることにより、クラックを割りずらすように拡げて、鬼皮を種子胚から分離させるようにしたことを特徴とする殻果状種子の殻取装置。
【請求項５】
前記一対の押圧体は、ローラ状であることを特徴とする請求項４記載の殻果状種子の殻取装置。
【請求項６】
前記一対の押圧体のそれぞれの作動状態は、一方のみ駆動がされ、他方は非駆動状態で回転することを特徴とする請求項４または５記載の殻果状種子の殻取装置。
【発明の詳細な説明】
【技術分野】
【０００１】
本発明は、茶の実から油成分を搾油する茶の実油の製造方法並びにそれに用いる殻取装置に関するものである。
【背景技術】
【０００２】
茶の効用が認められている中、茶の実（種子）については有効利用は必ずしも充分にされていない。当然ながら茶樹はツバキ科ツバキ属の常緑樹であり、種子に油成分を含んでおり、この油を有効に取り出すことができれば、特に食品素材としての利用の途を大きく開くことができる。
このため一部で茶の実油を利用する試みがされているものの、取り出せる茶の実油の量は、元の茶の実の重量比で約１０％以下にとどまる等、商業的採算性を考慮すると現実的ではない。
その理由の一つとして、茶の実は胚及び胚乳（以下、本明細書ではこれらを総称して種子胚と呼ぶ）が硬い鬼皮で覆われた殻果状の種子であることから、油成分を含む種子胚を取り出すために多くの手間を要することにあった。即ち個人的に行う処理量であれば手作業により鬼皮を割って種子胚を取り出すことも行われるが、一方で大量処理の場合には、種子胚を鬼皮ごとプレスして搾油することが行われており、このような手法に因み、胚種子胚ら有効に油成分を採り出し得なかったものと考えられる。
【０００３】
ところで茶の実と同様に、殻果状の蓮の実や団栗の鬼皮を除去することのできる殻剥き装置も実用化されてはいるものの（例えば特許文献１参照）、この装置は、殻剥ぎ処理を行うための螺旋状の刃を回転駆動するといった複雑な機構を有するものであり、装置導入のイニシャルコスト並びにランニングコストが高価なものである。
【先行技術文献】
【特許文献】
【０００４】
【特許文献１】特開２０１６−１０６５７４公報
【発明の概要】
【発明が解決しようとする課題】
【０００５】
本発明はこのような状況を充分考慮した結果なされたものであって、茶の実から種子胚の取り出しを容易にする手法を開発すると共に、茶の実が含有する油成分を有効に搾り出すことのできる手法並びに装置の開発を技術課題としたものである。
【課題を解決するための手段】
【０００６】
すなわち請求項１記載の茶の実油の製造方法は、原料準備工程と、搾油準備工程と、搾油工程とを有し、殻果状の茶の実から茶の実油を製造する方法であって、前記原料準備工程は、収穫した茶の実から、茶の実油を含む種子胚を、鬼皮を割り開いて取り出す工程であり、また前記搾油準備工程は、種子胚を粉砕した上で、通液性を有する袋状のケーシングに詰め、茶の実油の成分の変性温度以下で加温するものであり、また前記搾油工程では、前工程でケーシングに詰められて加温された種子胚を圧搾容器に入れ、加圧盤により種子胚を圧縮することにより、種子胚中の茶の実油を搾油することを特徴として成るものである。
【０００７】
また請求項２記載の茶の実油の製造方法は、前記請求項１記載の要件に加え、前記鬼皮を割り開くに当たっては、対向的に移動する一対の押圧体を具えた殻取装置を用い、一対の押圧体の間に茶の実を通過させるものであり、対向する押圧体の作動状態を異ならせ、且つ押圧体の表面に設けた刺し受けライナーに、割り開かれた鬼皮のエッジを刺し掛けるようにして鬼皮を割りずらせ、鬼皮と種子胚とを分離することを特徴として成るものである。
【０００８】
更にまた請求項３記載の茶の実油の製造方法は、前記請求項１または２記載の要件に加え、前記搾油工程で用いられる圧搾容器は、不活性ガスが充填される囲繞壁内に収容されていることを特徴として成るものである。
【０００９】
また請求項４記載の殻果状種子の殻取装置は、一対の押圧体の間に殻果状の種子を通過させ、前記押圧体により種子の鬼皮を割って内部の種子胚と分離させる装置であって、前記押圧体は、それぞれ押圧本体と、その表面に設けた刺し受けライナーとを有し、更に一対の押圧体は、それぞれその作動状態を異ならせ、一対の押圧体の間を通過した種子は、押圧体の押圧を受けて鬼皮がクラック状に割り開かれ、更に割り開かれた鬼皮のエッジが、刺し受けライナーに刺し掛けられ、各押圧体の作動状態が異なることにより、クラックを割りずらすように拡げて、鬼皮を種子胚から分離させるようにしたことを特徴として成るものである。
【００１０】
また請求項５記載の殻果状種子の殻取装置は、前記請求項４記載の要件に加え、前記一対の押圧体は、ローラ状であることを特徴として成るものである。
【００１１】
更にまた請求項６記載の殻果状種子の殻取装置は、前記請求項４または５記載の要件に加え、前記一対の押圧体のそれぞれの作動状態は、一方のみ駆動がされ、他方は非駆動状態で回転することを特徴として成るものである。
そしてこれら各請求項記載の発明を手段として前記課題の解決が図られる。
【発明の効果】
【００１２】
まず請求項１記載の発明によれば、茶の実が含有する油成分を有効に搾り出すことができる。
【００１３】
また請求項２記載の発明によれば、鬼皮と種子胚とを極めて効率的に分離することができる。
【００１４】
また請求項３記載の発明によれば、茶の実油の劣化を防止することができる。
【００１５】
また請求項４記載の発明によれば、鬼皮と種子胚とを極めて効率的に分離することができる。
【００１６】
また請求項５記載の発明によれば、鬼皮にクラックを割り開くとともに、このクラックを割りずらすように拡げる動作を円滑に実現することができる。
【００１７】
また請求項６記載の発明によれば、鬼皮を種子胚から分離させる機能を損なうことなく、装置構成を簡素化することができる。
【図面の簡単な説明】
【００１８】
【図１】本発明の茶の実油の製造方法を実施するための工程を示す工程図である。
【図２】本発明の殻取装置を示す縦断面図である。
【図３】粉砕装置の粉砕室を示す平面図である。
【図４】粉砕種子胚をケーシングに収容する様子を示す斜視図である。
【図５】搾油装置を示す縦断面図である。
【図６】殻取装置における押圧体による鬼皮除去の様子を段階的に示す説明図である。
【図７】殻取装置における押圧体の作動状態を異ならせるための機構の他の実施例を示す骨格図である。
【発明を実施するための形態】
【００１９】
本発明の「茶の実油の製造方法並びにそれに用いる殻果状種子の殻取装置」の最良の形態は以下に示すとおりであるが、この形態に対して本発明の技術的思想の範囲内において適宜変更を加えることも可能である。
【実施例】
【００２０】
まず本発明の「茶の実油の製造方法」は図１に示すように、原料準備工程１と、搾油準備工程２と、搾油工程３とを有し、殻果状の茶の実Ｓから茶の実油Ａを製造する方法である。なお実際の製造現場では、原料準備工程１の前段に殻斗除去工程、乾燥工程が設けられ、更に搾油工程３の後段に精製工程、容器詰め工程が設けられることとなる。
なお茶の実Ｓは図１に示すように、胚及び胚乳が一体化した粒状の種子胚Ｓ１が薄皮Ｐ２に覆われ、更にこの薄皮Ｐ２の上に硬く厚い鬼皮Ｐ１が覆われた殻果状の種子である。
【００２１】
前記原料準備工程１は、収穫した茶の実Ｓから、茶の実油Ａを含む種子胚Ｓ１を、鬼皮Ｐ１を割り開いて取り出す工程であり、本発明の殻取装置１０が具えられる工程である。
また前記殻取装置１０は、一対の押圧体１１、１２の間に殻果状の種子の一例である茶の実Ｓを通過させ、前記押圧体１１、１２により茶の実Ｓの鬼皮Ｐ１を割って内部の種子胚Ｓ１と分離させる装置である。
具体的には図２に骨格的に示すように、前記押圧体１１、１２は一例として、側周面が対向する一対のローラとして構成されるものであり、それぞれ押圧本体１１０、１２０の表面に、一例としてゴム等の弾性樹脂材によって形成された刺し受けライナー１３が設けられる。
なお押圧体１１、１２は、茶の実Ｓの平均径よりもやや短い間隔を空けて対向するものであり、大径の押圧体１１のみが回転駆動され、小径の押圧体１２はこれに従動して回転するものであり、それぞれその作動状態が異なるように構成されている。
もちろん正確な回転制御が可能である場合には、押圧体１１、１２の双方を回転駆動するようにしてもよい。
また前記刺し受けライナー１３の表面に凹凸を形成するようにしてもよい。
【００２２】
そしてこれら押圧体１１、１２の上方には、ホッパ１４が設けられるものであり、一方、押圧体１１、１２の下方には風選装置１５が設けられる。
この風選装置１５は、ブロワ１６と、このブロワ１６の吹き出し方向の上部に具えられる鬼皮ダクト１７と、ブロワ１６の吹き出し方向の下部に具えられる種子胚ダクト１８とを具えて構成されている。
【００２３】
また前記搾油準備工程２は、種子胚Ｓ１を粉砕した上で、通液性を有する袋状のケーシングＢに詰め、茶の実油Ａの成分の変性温度（一例として５５℃）以下で加温する工程である。
そして種子胚Ｓ１を粉砕するための粉砕装置２０は一例としてハンマーミルが適用されるものであり、図３の平面図に示すように粉砕室２１内に回転するハンマー２２が設けられ、粉砕室２１の内壁に形成される波状の凹凸２３とハンマー２２とにより被処理物を粉砕するものである。
粉砕された被処理物は、粉砕室２１の一部に形成さえる取出口２４に設けられるスクリーン２４Ｓの目よりも細かくなった時点でここから排出される。
【００２４】
また前記搾油工程３は、前記搾油準備工程２でケーシングＢに詰められて加温された粉砕種子胚Ｓ２を圧搾容器３１に入れ、加圧盤３３により粉砕種子胚Ｓ２を圧縮することにより、粉砕種子胚Ｓ２中の茶の実油Ａを搾油する工程である。
このための搾油装置３０は一例として図５に示すように、側周部や底部に液抜孔３４が形成された圧搾容器３１の上部開口部を塞ぐ蓋体３２に対して雌ネジ部を形成し、ここに雄ネジが形成された軸３５を螺合させ、軸３５の両端にハンドル３６、加圧盤３３を具えて構成される。
なお搾油装置３０の構成については、このような手動によるものの他、油圧シリンダにより加圧を行うような構成を採ることもできる。
また前記圧搾容器３１の外側には囲繞壁３８が設けられ、囲繞壁３８と圧搾容器３１との間の空間に、窒素ガス等の不活性ガスを充填することができるように構成される。
【００２５】
本発明の「茶の実油の製造方法」を実施するための装置構成の一例は以上説明した通りであり、以下、本発明の「茶の実油の製造方法」について説明する。
【００２６】
〔殻斗除去工程〕
まず、茶畑において収穫される茶の実Ｓは、通常２〜４粒が殻斗Ｈに包まれた状態となっているものであり、図１に示すように殻斗Ｈを除去することにより、個々の茶の実Ｓを自由状態とする。
【００２７】
〔乾燥工程〕
次いで茶の実Ｓに含まれる余分な水分を除去するために乾燥処理が施されるものであり、乾燥機を用いて行う他、短時間の天日干し、冷暗所に長時間寝かせる等、適宜の手法が採られる。
なお長時間寝かせることにより、熟成による茶の実油Ａの香味向上を図ることもできる。
【００２８】
〔原料準備工程〕
次いで、茶の実Ｓから、茶の実油Ａを含む種子胚Ｓ１を、鬼皮Ｐ１を割り開いて取り出すものであり、殻取装置１０の押圧体１１を回転させた状態で、ホッパ１４に茶の実Ｓを投入する。
そして図６（ａ）に示すように茶の実Ｓが押圧体１１と押圧体１２とに挟まれることにより、押圧体１２が従動して回転するものであり、この際、茶の実Ｓは両側から押圧を受けて図６（ｂ）に示すように鬼皮Ｐ１にクラックＣが割り開かれる。
更に茶の実Ｓが押圧体１１、１２の間を通過する際には、図６（ｂ）、（ｃ）に示すように、割り開かれた鬼皮Ｐ１のエッジＥが、刺し受けライナー１３に刺し掛けられた状態となる。
ここで前記「刺し掛けられる」とは、鬼皮Ｐ１のエッジＥ付近が、刺し受けライナー１３に突き刺さるように減り込む様子を表すものである。
【００２９】
更に押圧体１１と押圧体１２とは、径寸法が異なるため、これらが協動するときの押圧体１１と押圧体１２との接線方向の速度は当然ながら同じ値ｖとなるが、押圧体１１の角速度ω１と押圧体１２の角速度ω２は異なったものとなり（ω１＜ω２）、このように押圧体１１と押圧体１２との作動状態が異なることにより、図６（ｃ）に示すように、クラックＣを割りずらすように拡げて、鬼皮Ｐ１を薄皮Ｐ２に覆われた種子胚Ｓ１から分離させることができる。
なおこの実施例では、１０ｋｇ（約１０００個）の茶の実Ｓから、鬼皮Ｐ１を割り開いて、薄皮Ｐ２に覆われた種子胚Ｓ１を取り出すのに１０分程しか要さなかった。
【００３０】
そして押圧体１１及び押圧体１２から開放されて自由状態となった鬼皮Ｐ１及び薄皮Ｐ２に覆われた種子胚Ｓ１は、風選装置１５内に位置することとなり、ここでブロワ１６からの送風を受け、軽量である鬼皮Ｐ１は鬼皮ダクト１７に移送されて外部に排出される。
一方、薄皮Ｐ２に覆われた種子胚Ｓ１は種子胚ダクト１８に移送されて外部に排出される。
なお鬼皮Ｐ１と薄皮Ｐ２に覆われた種子胚Ｓ１とが完全に離れていなくても、これらはブロワ１６からの送風によって分離されることとなる。
【００３１】
〔搾油準備工程〕
次いで分別された薄皮Ｐ２に覆われた種子胚Ｓ１は粉砕装置２０に供給されるものであり、ハンマー２２と凹凸２３の作用により粉砕され、所望の粒径の粉砕種子胚Ｓ２となった時点でスクリーン２４Ｓを通過して取出口２４から排出される。
次いで粉砕種子胚Ｓ２を、紙等の通液性を有する素材により形成された袋状のケーシングＢに収容し、茶の実油Ａの成分の変性温度以下で加温する。
この実施例では、電子レンジによる加温を行って、粉砕種子胚Ｓ２の温度が一例として５５℃になるようにした。
【００３２】
〔搾油工程〕
次いでケーシングＢに収容された状態の種子胚Ｓ１を、更に布等の通液性を有する素材により形成された袋状のケーシングＢに収容し、搾油装置３０における圧搾容器３１にセットする。その後、ハンドル３６を操作して加圧盤３３を下降させ、加圧盤３３により種子胚を圧縮することにより、種子胚Ｓ１中の茶の実油Ａを搾油する。
この際、囲繞壁３８と圧搾容器３１との間の空間に、窒素ガス等の不活性ガスを充填することにより、搾油された茶の実油Ａの酸化等による劣化を防ぐことができる。
【００３３】
〔精製工程〕
次いでコック３７を開けて茶の実油Ａを排出し、遠心分離機にかけて水分を分離したり、濾紙による濾過を行うことにより不純物を取り除いて精製する。
なおこのような精製工程については、茶の実油Ａの用途や商品的なグレードに応じて適宜行われるものであり、必須の工程ではない。
【００３４】
〔容器詰め工程〕
そして茶の実油Ａは、瓶や缶等の容器に詰められて出荷されることとなる。
なお〔背景技術〕で述べたように、種子胚Ｓ１を鬼皮Ｐ１ごと粉砕し、これをプレスして搾油した場合には、搾油量は重量比１０％以下に留まっていたが、本発明による搾油量は重量比の１３％以上となることが本出願人によって検証されている。
【００３５】
〔他の実施例〕
本発明は上述した実施例を基本となる実施例とするものであるが、本発明の技術的思想に基づいて以下に示すような実施例を採ることもできる。
まず上述した基本となる実施例では、対向する一対の押圧体１１、１２の作動状態を異ならせる構成を、押圧体１１、１２を側周面が対向する一対のローラとして構成するとともに、それぞれの径を異ならせる構成としたが、これ以外の構成を採ることもできる。
具体的には図７に示すように、押圧体１１、１２の一方または双方を、ローラと、ローラに捲回されるベルト１９とにより構成するようにしてもよい。この場合、ベルト１９に対して裏当板１９ａを設けることにより、押圧体１１と押圧体１２とによる種子胚Ｓ１からの鬼皮Ｐ１の分離を行うことが可能となる。
【００３６】
また上述した基本となる実施例では、茶の実Ｓを殻取装置１０の処理対象としたが、茶の実Ｓ以外にも、椿の実、蓮の実、団栗等の殻果状種子を処理対象とすることもできる。
【符号の説明】
【００３７】
１      原料準備工程
２      搾油準備工程
３      搾油工程
１０    殻取装置
１１    押圧体
１１０  押圧本体
１２    押圧体
１２０  押圧本体
１３    刺し受けライナー
１４    ホッパ
１５    風選装置
１６    ブロワ
１７    鬼皮ダクト
１８    種子胚ダクト
１９    ベルト
１９ａ  裏当板
２０    粉砕装置
２１    粉砕室
２２    ハンマー
２３    凹凸
２４    取出口
２４Ｓ  スクリーン
３０    搾油装置
３１    圧搾容器
３２    蓋体
３３    加圧盤
３４    液抜孔
３５    軸
３６    ハンドル
３７    コック
３８    囲繞壁
Ａ      茶の実油
Ｂ      ケーシング
Ｃ      クラック
Ｅ      エッジ
Ｈ      殻斗
Ｐ１    鬼皮
Ｐ２    薄皮
Ｓ      茶の実
Ｓ１    種子胚
Ｓ２    粉砕種子胚
【図１】
2020152749.tif 000003
【図２】
2020152749.tif 000004
【図３】
2020152749.tif 000005
【図４】
2020152749.tif 000006
【図５】
2020152749.tif 000007
【図６】
2020152749.tif 000008
【図７】
2020152749.tif 000009